【手続補正書】
【提出日】平成18年1月6日(2006.1.6)
【手続補正１】
【補正対象書類名】明細書
【補正対象項目名】特許請求の範囲
【補正方法】変更
【補正の内容】
【特許請求の範囲】
【請求項１】  平行状に離間配置された２枚の平坦状の外板部（11）（12）と、これら両外板部をその中間部において一体に連結した連結板部（13）とを有するとともに、前記両外板部の端部間に開口部（14）が形成された第１パネル（10A ）と、
平行状に離間配置された２枚の平坦状の外板部（21）（22）と、これら両外板部をその中間部において一体に連結した連結板部（23）とを有するとともに、前記両外板部の端部間に開口部（24）が形成され、かつ両外板部の外面間の寸法が前記第１パネル（10A ）の両外板部の外面間の寸法よりも小寸になっている第２パネル（20）と、
前記第１及び第２パネルの開口部（14）（24）のうちの少なくとも第２パネルの開口部（24）内に嵌入される嵌入部（31）（32）を有するとともに、前記第１パネル（10A ）の両外板部の端部と前記第２パネル（20）の両外板部の端部との間に、第１及び第２パネルの両外板部の端部に沿って介在される中間部材（30）と、を用い、
前記第１パネル（10A ）の両外板部の端部と、前記第２パネル（20）の両外板部の端部とを、前記中間部材（30）を介して突き合わせるとともに、これら第１及び第２パネル（10A ）（20）と中間部材（30）とを接合一体化するパネル構造体の製造方法であって、
前記第１及び第２パネル（10A ）（20）の突合せ操作の際に、前記中間部材の嵌入部（31）（32）を、前記第１及び第２パネルの開口部（14）（24）のうちの少なくとも第２パネルの開口部（24）内に嵌入することにより、当該パネルの開口部を強制的に拡開させて、前記第１及び第２パネル（10A ）（20）の両外板部の端部の外面間の寸法差を修正し、
この状態で、前記中間部材（30）に、前記第１パネル（10A ）の両外板部の端部と、前記第２パネル（20）の両外板部の端部とを、摩擦撹拌接合により接合することを特徴とするパネル構造体の製造方法。
【請求項２】  平行状に離間配置された２枚の平坦状の外板部（11）（12）と、これら両外板部をその端部において一体に連結した連結板部（13）とを有する第１パネル（10B ）と、
平行状に離間配置された２枚の平坦状の外板部（21）（22）と、これら両外板部をその中間部において一体に連結した連結板部（23）とを有するとともに、前記両外板部の端部間に開口部（24）が形成され、かつ両外板部の外面間の寸法が前記第１パネル（10B ）の両外板部の外面間の寸法よりも小寸になっている第２パネル（20）と、
前記第２パネルの開口部（24）内に嵌入される嵌入部（32）を有するとともに、前記第１パネル（10B ）の両外板部の端部と前記第２パネル（20）の両外板部の端部との間に、第１及び第２パネルの両外板部の端部に沿って介在される中間部材（30）と、を用い、
前記第１パネル（10B ）の両外板部の端部と、前記第２パネル（20）の両外板部の端部とを、前記中間部材（30）を介して突き合わせるとともに、これら第１及び第２パネル（10B ）（20）と中間部材（30）とを接合一体化するパネル構造体の製造方法であって、
前記第１及び第２パネル（10B ）（20）の突合せ操作の際に、前記中間部材の嵌入部（32）を、前記第２パネルの開口部（24）内に嵌入することにより、第２パネルの開口部を強制的に拡開させて、前記第１及び第２パネル（10B ）（20）の両外板部の端部の外面間の寸法差を修正し、
この状態で、前記中間部材（30）に、前記第１パネル（10B ）の両外板部の端部と、前記第２パネル（20）の両外板部の端部とを、摩擦撹拌接合により接合することを特徴とするパネル構造体の製造方法。
【請求項３】  回転するピン状プローブ（42）を有する摩擦撹拌接合用の接合工具（40）を準備し、
前記中間部材（30）の嵌入部（31）（32）には、前記プローブ（42）の径よりも小寸の幅を有するとともに、対応するパネルの外板部の端面に当接される位置決め用突部（35）が設けられ、
前記第１及び第２パネルの突合せ状態において、前記位置決め用突部（35）が、前記第１パネルの外板部の端面と、前記第２パネルの外板部の端面とで挟まれており、
この状態で、前記プローブ（42）を前記位置決め用突部（35）にその両側の外板部（11）（21）に跨る態様で挿入するとともに、プローブ（42）をパネルの外板部の端部に沿ってパネルに対して相対的に移動させることによって、両側の外板部のうちの一方の外板部（11）と中間部材（30）との接合と、他方の外板部（21）と中間部材（30）との接合とを、同時に行う請求項１又は２記載のパネル構造体の製造方法。
【請求項４】  平行状に離間配置された２枚の平坦状の外板部（11）（12）と、これら両外板部をその中間部において一体に連結した連結板部（13）とを有するとともに、前記両外板部の端部間に開口部（14）が形成された第１パネル（10A ）と、
平行状に離間配置された２枚の平坦状の外板部（21）（22）と、これら両外板部をその中間部において一体に連結した連結板部（23）とを有するとともに、前記両外板部の端部間に開口部（24）が形成され、かつ両外板部の外面間の寸法が前記第１パネル（10A ）の両外板部の外面間の寸法よりも小寸になっている第２パネル（20）と、
前記第１及び第２パネルの開口部（14）（24）のうちの少なくとも第２パネルの開口部（24）内に嵌入される嵌入部（31）（32）を有するとともに、前記第１パネル（10A ）の両外板部の端部と前記第２パネル（20）の両外板部の端部との間に、第１及び第２パネルの両外板部の端部に沿って介在される中間部材（30）と、から構成され、
前記第１パネル（10A ）の両外板部の端部と、前記第２パネル（20）の両外板部の端部とが、前記中間部材（30）を介して突き合わされるとともに、これら第１及び第２パネル（10A ）（20）と中間部材（30）とが接合一体化されてなるパネル構造体であって、
前記中間部材の嵌入部（31）（32）が、前記第１及び第２パネルの開口部（14）（24）のうちの少なくとも第２パネルの開口部（24）内に嵌入されることにより、当該パネルの開口部が強制的に拡開させられて、前記第１及び第２パネル（10A ）（20）の両外板部の端部の外面間の寸法差が修正され、
この状態で、前記中間部材（30）に、前記第１パネル（10A ）の両外板部の端部と、前記第２パネル（20）の両外板部の端部とが、摩擦撹拌接合により接合されていることを特徴とするパネル構造体。
【請求項５】  平行状に離間配置された２枚の平坦状の外板部（11）（12）と、これら両外板部をその端部において一体に連結した連結板部（13）とを有する第１パネル（10B ）と、
平行状に離間配置された２枚の平坦状の外板部（21）（22）と、これら両外板部をその中間部において一体に連結した連結板部（23）とを有するとともに、前記両外板部の端部間に開口部（24）が形成され、かつ前記両外板部の外面間の寸法が前記第１パネル（10B ）の両外板部の外面間の寸法より小寸になっている第２パネル（20）と、
前記第２パネルの開口部（24）内に嵌入される嵌入部（32）を有するとともに、前記第１パネル（10B ）の両外板部の端部と前記第２パネル（20）の両外板部の端部との間に、第１及び第２パネルの両外板部の端部に沿って介在される中間部材（30）と、から構成され、
前記第１パネル（10B ）の両外板部の端部と、前記第２パネル（20）の両外板部の端部とが、前記中間部材（30）を介して突き合わされるとともに、これら第１及び第２パネル（10B ）（20）と中間部材（30）とが接合一体化されてなるパネル構造体であって、
前記中間部材の嵌入部（32）が、前記第２パネルの開口部（24）内に嵌入されることにより、第２パネルの開口部が強制的に拡開させられて、前記第１及び第２パネル（10B ）（20）の両外板部の端部の外面間の寸法差が修正され、
この状態で、前記中間部材（30）に、前記第１パネル（10B ）の両外板部の端部と、前記第２パネル（20）の両外板部の端部とが、摩擦撹拌接合により接合されていることを特徴とするパネル構造体。
【請求項６】  請求項４又は５記載のパネル構造体を備えた、車両の床材。
【請求項７】  請求項４又は５記載のパネル構造体を備えた、建築構造物の構成部材。